(57)【特許請求の範囲】
【請求項１】
グラフィカル・ユーザー・インターフェースであって：
取引商品に関連する市場データを表示する、該市場データを含む市場データ部および複数のオプションを含む取引者入力部を有する少なくとも一つのタイルを有しており、前記複数のオプションは複数の価格表示および複数の量表示を含み、
前記複数のオプションのうちからの、前記取引商品についてのビッド‐オファー対の選択に応答して、選択されたビッド‐オファー対を示すよう前記取引者入力部が更新され、
前記複数のオプションのうちからの、前記取引商品の量の選択に応答して、選択された量を示すよう前記取引者入力部が更新され、
前記ビット‐オファー対の選択は、前記複数の価格表示のうちの二つの価格表示の同時選択である、
グラフィカル・ユーザー・インターフェース。
【請求項２】
前記市場データがさらに、前記取引商品についてのビッド量およびオファー量を含む、請求項１記載のグラフィカル・ユーザー・インターフェース。
【請求項３】
前記表示される複数のオプションのうちの少なくとも一つのオプションを示す選択ボックスをさらに有するグラフィカル・ユーザー・インターフェースであって：
前記選択ボックスは、ゲーム・コントローラからの少なくとも一つの信号に応答して前記表示される複数のオプションの間を動く、
請求項１または２記載のグラフィカル・ユーザー・インターフェース。
【請求項４】
システムであって：
取引商品についてのインサイドマーケット価格を含む市場データと；
一つまたは複数のタイルのうちのあるタイルの、前記市場データを含む市場データ部を表示し、さらに前記タイルの、複数のオプションを含む取引者入力部を表示する操作者インターフェースであって、前記複数のオプションは複数の価格表示および複数の量表示を含む、操作者インターフェースと；
前記複数のオプションのうちからの、前記取引商品についてのビッド‐オファー対の選択を受領するプロセッサとを有しており；
前記選択されたビッド‐オファー対を示すよう前記表示の前記取引者入力部が更新され、
前記ビット‐オファー対の選択は、前記複数の価格表示のうちの二つの価格表示の同時選択である、
システム。
【請求項５】
前記市場データがさらに、前記取引商品についてのビッド量およびオファー量を含む、請求項４記載のシステム。
【請求項６】
前記プロセッサがさらに：
前記複数のオプションのうちからの、前記取引商品の量の選択を受領し；
前記選択された量を示すよう前記取引者入力部を更新するよう動作できる、
請求項４または５に記載のシステム。
【請求項７】
前記プロセッサがさらに、ゲーム・コントローラ装置からの要求を受領するのに応答して取引を開始するよう動作できる、請求項４ないし６のうちいずれか一項記載のシステム。
【請求項８】
前記複数のオプションのうちからオプションを選択するよう動作できるノブを一つまたは複数有するゲーム・コントローラをさらに有する、請求項４ないし７のうちいずれか一項記載のシステム。
【請求項９】
ビッド；
購入；
オファー；
販売；
市場価格での購入；および
市場価格での販売
のうちの少なくとも一つを開始するよう動作できるボタンを複数有するゲーム・コントローラをさらに有する、請求項４ないし８のうちいずれか一項記載のシステム。
【請求項１０】
前記ゲーム・コントローラからの少なくとも一つの信号を少なくとも一つの取引コマンドにマッピングするマッピング・モジュールをさらに有する、請求項８または９記載のシステム。
【請求項１１】
前記マッピング・モジュールが前記少なくとも一つの取引コマンドを、取引注文にマッチする取引プラットフォームに送信する、請求項１０記載のシステム。
【請求項１２】
前記操作者インターフェースはさらに、前記表示される複数のオプションのうちの少なくとも一つのオプションを示す選択ボックスを表示し；
前記選択ボックスは、ゲーム・コントローラからの少なくとも一つの信号に応答して前記表示される複数のオプションの間を動く、
請求項４ないし１１のうちいずれか一項記載のシステム。
【発明の詳細な説明】
【技術分野】
【０００１】
本発明は、概括的には操作者インターフェース処理（operator  interface  processing）の分野に、より詳細には市場データ、取引者オプションおよび取引者入力を表示するための操作者インターフェースを提供するシステムに関する。
【背景技術】
【０００２】
近年、電子商取引システムは、商品、サービス、金融証券およびコモディティといった多様な品目の取引のために幅広く受け容れられるに至っている。たとえば、電子商取引システムは、株式、確定利付証券、通貨、先物契約、石油および金を取引するために使用されうる。
【０００３】
電子商取引システムは取引プラットフォームに接続されたいくつかのクライアント・システムを有しうる。クライアント・システムは、取引システムと通信するために使用されうるキーボードまたはマウス装置といった入力装置を含みうる。いくつかの事例では、取引システムと一緒に使うためにキーボードが特別に設計される。
【発明の開示】
【発明が解決しようとする課題】
【０００４】
本発明の目的は、ビッド‐オファー対を選択するのを容易にするシステムおよびプログラム可能プロセッサをそのようにプログラムするコンピュータ・プログラム命令を記憶しているコンピュータ可読記憶媒体を提供することである。この目的は、独立請求項において定義される特徴によって達成できる。さらなる向上は従属請求項において特徴付けられる。本発明によれば、市場データ、取引者オプションおよび取引者入力を表示するための従来技術に付随する欠点および問題が軽減または解消されうる。
【課題を解決するための手段】
【０００５】
本発明のある実施形態によれば、市場データ、取引者オプションおよび取引者入力を表示するためのシステムがメモリおよびプロセッサを含む。メモリは取引商品についての市場データを記憶する。ここで、市場データは、その取引商品についてのインサイドマーケット価格を含む。プロセッサは、タイル（tile）の市場データ部の表示を開始する。ここで、市場データ部は市場データを含む。プロセッサは、前記タイルの取引者入力部の表示を開始する。ここで、取引者入力部はオプションを含む。プロセッサは、それらのオプションからのその取引商品についてのビッド‐オファー対の選択を受領し、取引者入力部を更新して、選択されたビッド‐オファー対を示すようにする。
【発明の効果】
【０００６】
本発明のある種の諸実施形態は一つまたは複数の技術的効果を提供しうる。ある実施形態の技術的効果は、表示が、取引商品についての情報を取引者〔トレーダー〕に表示するタイルを有するということでありうる。タイルは特定の取引商品についての市場データを表示する。市場データはビッド量、インサイドマーケット価格およびオファー量を含みうる。タイルはオプションも表示し、取引者はそれらのオプションから選択して、その取引商品についての取引を開始するための所望の条件を指定しうる。オプションは、その取引商品の量およびその取引商品についてのビッド‐オファー対を含みうる。取引者は選択を行うためにゲーム・コントローラ装置のノブを使用しうる。あるノブは量を選択するために使用されてもよく、別のノブはビッド‐オファー対を選択するために使用されてもよい。このように、取引者はタイルおよびゲーム・コントローラ装置を使って、簡単にその取引商品についての量およびビッド‐オファー対を選択しうる。
【０００７】
ある実施形態のもう一つの技術的効果は、ゲーム・コントローラ装置のボタンを使って特定の型の取引を開始しうるということでありうる。あるボタンは、取引者が選択した量およびビッド‐オファー対でのビッドおよび／または購入を開始するために使用されうる。もう一つのボタンは、取引者が選択した量およびビッド‐オファー対でのオファーおよび／または販売を開始するために使用されうる。さらにもう一つのボタンは、インサイドマーケット価格での購入を開始するために使用されうる。そして、さらにもう一つのボタンは、インサイドマーケット価格での販売を開始するために使用されうる。このように、取引者はゲーム・コントローラ装置のボタンを使って種々の型の取引を容易に開始できる。
【０００８】
本発明のある種の諸実施形態は、上記の技術的効果の一つも含まないこともあれば、一部を含むこともあれば、全部を含むこともある。ここに含まれる図面、記述および請求項から、一つまたは複数の他の技術的効果が、当業者には容易に明らかでありうる。
【０００９】
本発明ならびにその特徴および効果のより完全な理解のために、ここで例として、付属の図面と一緒に参照すべき以下の記述を参照する。
【発明を実施するための最良の形態】
【００１０】
本発明の諸実施形態およびその効果は、図面の図１ないし図４を参照することによって最もよく理解される。さまざまな図面の同様および対応する部分には同様の符号を使う。
【００１１】
図１は、取引者２４のために取引を容易にするよう動作できる電子商取引システム１０のある実施形態を示している。システム１０は、図のように結合されたクライアント・システム１２、取引プラットフォーム１４およびネットワーク１６を含んでいる。クライアント・システム１２はインターフェース装置２８（ゲーム・コントローラ装置３６および表示装置３２のような）およびクライアント・プラットフォーム３４を含んでいる。クライアント・プラットフォーム３４はプロセッサ４６およびメモリ４８を含む。
【００１２】
ある例では、クライアント・システム１２は、取引商品を記述する情報を表示するタイル１３を有する表示１１を生成する。タイル１３は、ある取引商品についての市場データ１５を表示する。市場データ１５はほぼリアルタイムで市場データ・センターから受信され、タイル１３のためのほぼリアルタイムの情報を提供する。市場データ１５は、ビッド量、インサイドマーケット価格およびオファー量を含みうる。
【００１３】
タイル１３はオプション１９も表示し、取引者２４はそれらのオプションから選択して、取引を開始するための所望の条件を指定しうる。オプションは、その取引商品についての量およびビッド‐オファー対を含みうる。取引者２４は選択を行うためにゲーム・コントローラ装置３６のノブを使用しうる。あるノブは量を選択するために使用されてもよく、別のノブはビッド‐オファー対を選択するために使用されてもよい。
【００１４】
取引者２４は市場データ１５を監視することができ、市場データ１５に反応して取引を開始する決定をしうる。取引者２４は、特定の型の取引を開始するためにゲーム・コントローラ装置３６のボタンを使う。あるボタンは、取引者２４が選択した量およびビッド‐オファー対でのビッドおよび／または購入を開始するために使用されうる。もう一つのボタンは、取引者２４が選択した量およびビッド‐オファー対でのオファーおよび／または販売を開始するために使用されうる。さらにもう一つのボタンは、インサイドマーケット価格での購入を開始するために使用されうる。そして、さらにもう一つのボタンは、インサイドマーケット価格での販売を開始するために使用されうる。本記述は個別の動作を実行するためにゲーム・コントローラ装置３６のノブおよびボタンに関して説明されているが、これらの動作はノブ、ボタンまたは装置３６の他の部分のいかなる好適な数および組み合わせを使って実行されてもよい。
【００１５】
したがって、取引者２４は、タイル１３から、ある取引商品についてのビッド量、インサイドマーケット価格およびオファー量を容易に読み取ることができる。さらに、取引者２４はタイル１３およびゲーム・コントローラ装置３６を使って、その取引商品についての量およびビッド‐オファー対を簡単に選択しうる。さらに、取引者２４は、ゲーム・コントローラ装置３６の特定のノブおよび／またはボタンを使って、特定の型の取引を開始しうる。
【００１６】
ある実施形態によれば、取引者２４は、取引注文１７を出すおよび／または取引注文１７に応じることができる、取引システム１０のユーザーを表しうる。取引者２４は、本人（principal）、本人に代わって行動する代理人、個人、法人（企業のような）または取引注文１７を出すおよび／または取引注文１７に応じることができる任意の機械もしくは機構を表しうる。
【００１７】
取引注文１７は、特定の取引商品の特定の量を購入または販売する注文を表しうる。取引商品とは、所与の取引注文１７の基礎をなす任意の好適な商品または商品の組み合わせを指しうる。取引商品の例は、任意の型の製品、サービス、金融証券、コモディティ、株、債券、確定利付証券、金利デリバティブ、通貨、先物契約、社債、オプション、証券、取引派生商品（derivative  trading  instruments）または他の任意の好適な商品もしくは商品の組み合わせを含みうる。
【００１８】
クライアント・システム１２は、取引プラットフォーム１４のような取引システム１０の一つまたは複数の要素にアクセスするために使用されうる任意の好適なエンドユーザー要素を表しうる。エンドユーザー要素の例としては、コンピュータ、ワークステーション、電話、インターネット・ブラウザ、電子ノートブック（electronic  notebook）、携帯情報端末（PDA）、ポケベルまたはシステム１０の他の構成要素とともに情報を受信し、処理し、記憶しおよび／または通信することのできる他の任意の好適な装置（無線式でもそうでなくても）が含まれる。
【００１９】
クライアント・システム１２は、インターフェース装置２８およびクライアント・プラットフォーム３４を含みうる。インターフェース装置２８は、有線および／または無線リンクを介してクライアント・プラットフォーム３４におよび／またはクライアント・プラットフォーム３４から信号を通信するよう動作しうる任意の好適な装置を表しうる。インターフェース装置２８の例は、入力装置、出力装置および／または入出力装置を含みうる。
【００２０】
入力装置の例は、ゲーム・コントローラ装置３６、キーボード、マウス、マイクロホンおよび／または別のエンドユーザー要素を含む。ゲーム・コントローラ装置３６は、クライアント・プラットフォーム３４と通信する任意の好適な入力装置を表す。ゲーム・コントローラ装置３６の例は、ジョイスティックまたはゲームパッドのようなビデオ・ゲーム・コントローラを含む。出力装置の一例は、出力情報を表示１１に表示する表示装置３２を含む。表示装置３２の例は、コンピュータ・ディスプレイ、CRTモニタまたはテレビを含む。
【００２１】
クライアント・プラットフォーム３４は、図のように結合されたプロセッサ４６およびメモリ４８を含む。プロセッサ４６は、取引システム１０に関連するデータを処理することを含むここに記載される機能を実行するためのハードウェアおよび／またはソフトウェアの任意の好適な組み合わせを含む。前記処理することは、インターフェース・アプリケーション５０に関連するコーディングされた命令を実行することに関わりうる。
【００２２】
メモリ４８は、情報を記憶するおよび／または情報の取得を容易にする揮発性および／または不揮発性メモリの任意の好適な組み合わせを含む。メモリ４８は、インターフェース・アプリケーション５０を記憶していてもよい。インターフェース・アプリケーション５０は、情報を受信および／または送信することをインターフェース装置２８に許容するアプリケーションを表しうる。たとえば、インターフェース・アプリケーション５０は、表示装置３２上に表示１１を生成するグラフィカル・ユーザー・インターフェース（GUI）アプリケーションを含みうる。今の例では、インターフェース・アプリケーション５０は、インターフェース装置２８および／または取引プラットフォーム１４からのコマンドに応答して表示１１を変更しうる。今の例では、インターフェース・アプリケーション５０はまた、インターフェース装置２８および／または取引プラットフォーム１４からのコマンドに応答してインターフェース装置２８および／または取引プラットフォーム１４にメッセージを送ってもよい。
【００２３】
図示した実施形態では、インターフェース・アプリケーション５０はマッピング・モジュール８０を含む。マッピング・モジュール８０は、インターフェース装置２８および／または取引プラットフォーム１４から受領された信号を、取引システム１０のコマンドとマッピングする。ある例では、取引者２４がジョイスティックを動かすこと、ボタンを押すことおよび／またはインターフェース装置２８の他の任意の操作を実行することによって信号が送られうる。今の例では、コマンドはシステム・コマンドおよび／または取引コマンドを含みうる。システム・コマンドは、たとえばカーソルを動かすために表示１１を変更するために使用されうる。取引コマンドは、たとえば取引を開始および／または処理するために、取引プラットフォーム１４にまたは取引プラットフォーム１４から通信されうる。
【００２４】
信号関係は、信号をコマンドに関連付けるために使用されうる。一例として、ある操作（ジョイスティックを動かすことなど）が一つのコマンド（カーソルを動かすなど）に関連付けられうる。もう一つの例として、複数操作（ジョイスティックを動かしかつボタンを押すなど）が一つのコマンド（取引注文要求を送るなど）に関連付けられうる。もう一つの例として、ある操作（ボタンを押すなど）は、複数コマンド（取引注文要求を送り、表示を更新するなど）に関連付けられうる。
【００２５】
取引プラットフォーム１４は、取引注文１７の処理を容易にする取引アーキテクチャを表しうる。取引プラットフォーム１４は、管理センターまたは本部オフィスにおいて、注文の取引をマネージしようとする任意の人物、企業またはエンティティのために構成されうる。取引プラットフォーム１４は、取引環境をマネージまたは経営する経営団または監督エンティティの機能を実行するために利用されうる論理、人員、装置またはエンティティの任意の好適な組み合わせを含みうる。
【００２６】
ネットワーク１６は、情報を交換するよう動作しうる通信プラットフォームを表しうる。通信ネットワークは、平凡な旧来の電話システム（POTS）、公衆電話交換網（PSTN）、公衆または私設データ・ネットワーク、構内ネットワーク（LAN）、都市圏ネットワーク（MAN）、広域ネットワーク（WAN）、インターネットのようなローカル、地域的もしくはグローバルな通信もしくはコンピュータ・ネットワーク、有線もしくは無線のネットワーク、企業イントラネット、その他の好適な通信リンクまたは上記の任意の組み合わせを含みうる。
【００２７】
本発明の範囲から外れることなく、取引システム１０に修正、追加または省略を施してもよい。取引システム１０の構成要素は、特定のニーズに従って統合され、あるいは分離されてもよい。さらに、取引システム１０の動作は、より多くのモジュール、より少ないモジュールあるいは別のモジュールによって実行されてもよい。
【００２８】
図２は、一つまたは複数のタイル１３を含む表示１１の例を示す。ある実施形態によれば、タイル１３は市場データ部１１４および取引者入力部１１８を含みうる。市場データ部１１４はリアルタイムの市場データ１５を表示しうる。市場データ１５はリアルタイムまたはほぼリアルタイムで受信されてもよく、現在および／または履歴の市場情報を含みうる。該情報は、取引高、取引条件、トレーディング量、未決着の取引注文１７の数、ビッド／オファー価格、市場価格〔マーケット価格〕、利回りスプレッド、トレンドなどといったものである。
【００２９】
図示した実施形態によれば、市場データ部１１４は、ある取引商品についてのインサイドマーケット価格１２２、ビッド量１２４およびオファー量１２６を含む。ビッド量１２４は、その取引商品についての最良のビッドの量である。オファー量１２６は、その取引商品についての最良のオファーの量である。インサイドマーケット価格は、最良ビッドのビッド価格および最良オファーのオファー価格を表す。
【００３０】
取引者入力部１１８は、取引者２４のようなユーザーによって入力された取引者入力を表示する。取引者入力の例としては、その取引商品の量およびその取引商品についての入力されたビッド‐オファー対が含まれる。取引者ビッド‐オファー対は、取引者２４が指定したビッド価格およびオファー価格を含む。
【００３１】
図示した実施形態によれば、取引者入力部１１８は、オプション１４０および選択ボックス１４４を含む。オプション１４０は、取引者２４によって選択されうる数を含み、選択ボックス１４４は、選択された数を指示するために使用される。図示した実施形態によれば、取引者入力部１１８はビッド‐オファー対オプション１４０ａおよび量オプション１４０ｂを含む。ビッド‐オファー対選択ボックス１４４ａは取引者２４によって選択されたビッド‐オファー対を指示しうる。量選択ボックス１４４ｂは取引者２４によって選択された量を指示しうる。
【００３２】
ある実施形態によれば、取引者はゲーム・コントローラ装置３６を使って、選択ボックス１４４を、取引者２４が選択したいオプション１４０まで動かしうる。取引者２４は、選択ボックス１４４を、適切な数が選択されるまでオプション１４０の右または左に動かしうる。第一の選択ボックス１４４ａがビッド‐オファー対を選択するために動かされてもよく、第二の選択ボックス１４４ｂが量を選択するために動かされてもよい。オプション１４０ａおよび１４０ｂは水平配置で図示されているが、オプション１４０ａおよび１４０ｂのいかなる好適な配向を使ってもよい。
【００３３】
したがって、取引者２４は、タイル１３から、ある取引商品についてのビッド量、インサイドマーケット価格およびオファー量を容易に読み取りうる。さらに、取引者２４は、タイル１３およびゲーム・コントローラ装置３６を使って、その取引商品についての量およびビッド‐オファー対を簡単に選択しうる。
【００３４】
本発明の範囲から外れることなく、表示１１に対して修正、追加または省略がなされうる。表示１１は、より多い、より少ないまたは他のデータを含んでいてもよい。さらに、データは、本発明の範囲から外れることなく、いかなる好適な仕方で配列されてもよい。
【００３５】
図３は、ゲーム・コントローラ装置３６の一例を示している。ゲーム・コントローラ装置３６は一つまたは複数のノブ１５４および一つまたは複数のボタン１５８を含みうる。ある実施形態では、取引者２４は、特定のコマンドを開始するためにノブ１５４およびボタン１５８を操作しうる。操作の例としては、ノブ１５４および／またはボタン１５８を押す、上げる、並進させるおよび／または回転させることが含まれうる。
【００３６】
ノブ１５４は、オプション１４０を選択するために使われてもよく、いかなる好適な装置部分を含んでいてもよい。たとえば、ボタン、ジョイスティックまたは選択ボックス１４４をオプション１４０まで動かすよう機能できる他の型の部分を含んでいてもよい。数を選択するためには、いかなる好適な数のノブ１５４が使用されてもよい。ある実施形態によれば、特定のノブ１５４が特定のオプション１４０から数を選択するために指定されうる。図示した例では、ノブ１５４ａはオプション１４０ａから選択するために使用でき、ノブ１５４ｂはオプション１４０ｂから選択するために使用できる。もう一つの実施形態によれば、一つのノブ１５４が、複数組のオプション１４０のうちで選択をするために使用されうる。一例として、ジョイスティックが第一の方向、たとえば上下方向において特定のオプション１４０の組を選択するために使用されうる。次いでジョイスティックは、前記特定のオプションのうちの特定の数を選択するために第二の方向、たとえば左右方向において動かされうる。
【００３７】
取引を開始する要求を送るためにボタン１５８が使用されうる。取引（a  trade）とは、取引注文（trading  order）１７を出すおよび／または取引注文１７に応答するための手順（a  procedure）を指しうる。取引の例としては、ビッド、購入、オファー、販売、市場価格での購入または市場価格での販売の手順が含まれる。ビッド手順はある取引商品についてのビッドを出す；購入手順はある取引商品を買う購入注文を出す；オファー手順はある取引商品についてのオファーを出す；販売手順はある取引商品を売る販売注文を出す；市場価格で購入という手順は、ある取引商品を市場価格で買う購入注文を出す；市場価格で販売という手順は、ある取引商品を市場価格でうる販売注文を出す。
【００３８】
いかなる好適な数のボタン１５８がいかなる好適な取引を開始するために使用されてもよい。図示した実施形態によれば、ボタン１５８ａはビッドおよび／または購入手順を開始するために使用されうる；ボタン１５８ｂはオファーおよび／または販売手順を開始するために使用されうる；ボタン１５８ｃは市場価格で購入という手順を開始するために使用されうる；ボタン１５８ｄは市場価格で販売という手順を開始するために使用されうる。
【００３９】
したがって、取引者２４は、ゲーム・コントローラ装置３６のノブ１５４を使って、簡単に、取引商品についての量およびビッド‐オファー対を選択しうる。さらに、取引者２４は、ゲーム・コントローラ装置３６の個別のボタン１５８を使用して種々の型の取引を開始しうる。
【００４０】
本発明の範囲から外れることなく、ゲーム・コントローラ装置３６に対して修正、追加または省略がなされてもよい。ゲーム・コントローラ装置３６の構成要素は、特定のニーズに従って統合または分離されてもよい。さらに、ゲーム・コントローラ装置３６の動作は、より多くの、より少ないまたは別のノブ１５４および／またはボタン１５８によって実行されてもよい。
【００４１】
図４は、一つまたは複数のタイル１３を表示する方法の実施形態を示している。本方法は２１０で始まり、インターフェース・アプリケーション５０が取引プラットフォーム１４から市場データ１５を受信する。市場データ１５は、たとえば、ある取引製品についてのインサイドマーケット価格１２２、ビッド量１２４およびオファー量１２６を含みうる。ステップ２１４で、インターフェース・アプリケーション５０が、タイル１３の市場データ部１１４内での、市場データ１５の表示を開始する。
【００４２】
ステップ２１８で、インターフェース・アプリケーション５０は、取引者入力部１１８での、オプション１４０の表示を開始する。オプション１４０は、ビッド‐オファー対オプション１４０ａおよび量オプション１４０ｂを含みうる。ステップ２２２で、インターフェース・アプリケーション５０は取引者２４によるオプション１４０の選択を受領する。取引者２４は、ゲーム・コントローラ装置３６のノブ１５４を使って、選択をなしうる。たとえば、取引者２４は、ビッド‐オファー対11/11+および量5を選択しうる。
【００４３】
ステップ２２６で、前記選択を表示するよう、取引者入力部１１８の更新が開始される。取引者入力部１１８は、選択されたオプション１４０のまわりで（around）選択ボックス１４４を操る（maneuvering）ことによって更新されうる。たとえば、選択ボックス１４４ａが11/11+に置かれてもよく、選択ボックス１４４ｂが5に置かれてもよい。
【００４４】
ステップ２３０では取引要求が受領される。取引者２４は、ゲーム・コントローラ装置３６のボタン１５８を使って該要求をなしうる。ステップ２３４で取引が開始される。取引は、要求を取引プラットフォーム１４に転送することによって開始されてもよい。取引を開始したのち、本方法は終了する。
【００４５】
本発明の範囲から外れることなく、本方法に対して修正、追加または省略がなされうる。本方法は、より多くの、より少ないまたは別のステップを含んでいてもよい。さらに、ステップは、本発明の範囲から外れることなく、いかなる好適な順序で実行されてもよい。
【００４６】
本開示は、ある種の実施形態および一般に関連する諸方法の面で記述されてきたが、前記の実施形態および方法の変更および入れ換えは当業者には明らかであろう。したがって、例示的な実施形態の上記の記述は本開示を制限するものではない。他の変化、代替および変更も、付属の請求項によって定義される本開示の精神および範囲から外れることなく可能である。
【図面の簡単な説明】
【００４７】
【図１】電子商取引システムのある実施形態を示す図である。
【図２】図１のシステムにおいて使用されるタイルを含む表示の例を示す図である。
【図３】図１のシステムにおいて使用するためのゲーム・コントローラ装置の例を示す図である。
【図４】一つまたは複数のタイルを表示するための方法のある実施形態を示す図である。
【図１】
0005544069.tif 000002
【図２】
0005544069.tif 000003
【図３】
0005544069.tif 000004
【図４】
0005544069.tif 000005